(57)【要約】      （修正有）【課題】内視鏡用キャップを内視鏡から取り外す作業を容易にする内視鏡用治具等を提供すること。【解決手段】内視鏡１０の挿入部３０の先端から有底筒型の内視鏡用キャップ５０を取り外す内視鏡用治具１０１は、内視鏡用キャップ５０に嵌め合わせ可能であって、内視鏡用キャップ５０の外寸よりも小さい間隔を有して対向する対向部を内面に有する筒型部と、筒型部の一端に設けられた底部と、底部から前記筒型部の内部に突出し、筒型部が内視鏡用キャップに被せられた場合に、内視鏡用キャップの外側に露出する割溝の間に挿入される先端突起と、を備える内視鏡用治具１０１。【選択図】図１
2020110265.tif 000002
【特許請求の範囲】
【請求項１】
内視鏡の挿入部の先端から有底筒型の内視鏡用キャップを取り外す内視鏡用治具において、
前記内視鏡用キャップに嵌め合わせ可能であって、前記内視鏡用キャップの外寸よりも小さい間隔を有して対向する対向部を内面に有する筒型部と、
前記筒型部の一端に設けられた底部と、
前記底部から前記筒型部の内部に突出し、前記筒型部が前記内視鏡用キャップに被せられた場合に、前記内視鏡用キャップの外側に露出する割溝の間に挿入される先端突起と
を備える内視鏡用治具。
【請求項２】
前記筒型部に窓部が設けられている
請求項１に記載の内視鏡用治具。
【請求項３】
前記筒型部の内面に設けられており、前記筒型部が前記内視鏡用キャップに被せられた場合に、前記内視鏡用キャップの外周に設けられた凹部と係合する側面突起を備える
請求項１または請求項２に記載の内視鏡用治具。
【請求項４】
前記側面突起は、前記筒型部の端部に設けられた切欠部の縁に配置されている
請求項３に記載の内視鏡用治具。
【請求項５】
前記筒型部の端部に設けられており、前記筒型部が前記内視鏡用キャップに被せられた場合に、前記内視鏡用キャップの端部に対向する端部突起を備える
請求項１から請求項４のいずれか一つに記載の内視鏡用治具。
【請求項６】
内視鏡の挿入部の先端から、有底筒型であり所定の押圧方向に押圧することにより前記内視鏡との係合部が解除される内視鏡用キャップを取り外す内視鏡用キャップ取り外し方法において、
前記内視鏡用キャップの外寸よりも小さい間隔を有して対向する対向部を内面に有する筒型部と、前記筒型部の一端に設けられた底部と、前記底部から前記筒型部の内部に突出し、前記筒型部が前記内視鏡用キャップに被せられた場合に、前記内視鏡用キャップの外側に露出する割溝の間に挿入される先端突起とを備える内視鏡用治具を、前記対向部を前記押圧方向に合わせて前記内視鏡用キャップに被せることにより、前記係合部を解除し、
前記内視鏡用治具を引き抜くことにより、前記内視鏡用キャップを前記内視鏡から取り外す
内視鏡用キャップ取り外し方法。
【発明の詳細な説明】
【技術分野】
【０００１】
本発明は、内視鏡用治具および内視鏡用キャップ取り外し方法に関する。
【背景技術】
【０００２】
挿入部の内部を通るチャンネルの先端に起上台を有する内視鏡が使用されている。起上台は、チャンネルに通した処置具等を屈曲させて、所望の向きに誘導する際に使用される。
【０００３】
内視鏡検査の前に内視鏡の先端に取り付けて使用し、内視鏡検査の後に取り外す起上台付きの内視鏡用キャップが提案されている（特許文献１）。起上台周囲の複雑な構造を内視鏡から取り外せるため、内視鏡を容易に洗浄できる。
【先行技術文献】
【特許文献】
【０００４】
【特許文献１】特開２０１８−１２６４９１号公報
【発明の概要】
【発明が解決しようとする課題】
【０００５】
特許文献１に記載の内視鏡用キャップは、医師または看護師等が２本の指で摘んで引っ張ることで内視鏡から取り外せる。一つの側面では、内視鏡用キャップを内視鏡から取り外す作業を容易にする内視鏡用治具等を提供することを目的とする。
【課題を解決するための手段】
【０００６】
内視鏡の挿入部の先端から有底筒型の内視鏡用キャップを取り外す内視鏡用治具は、前記内視鏡用キャップに嵌め合わせ可能であって、前記内視鏡用キャップの外寸よりも小さい間隔を有して対向する対向部を内面に有する筒型部と、前記筒型部の一端に設けられた底部と、前記底部から前記筒型部の内部に突出し、前記筒型部が前記内視鏡用キャップに被せられた場合に、前記内視鏡用キャップの外側に露出する割溝の間に挿入される先端突起とを備える。
【発明の効果】
【０００７】
一つの側面では、内視鏡用キャップを内視鏡から取り外す作業を容易にする内視鏡用治具等を提供できる。
【図面の簡単な説明】
【０００８】
【図１】内視鏡検査の流れを説明する説明図である。
【図２】挿入部の先端の斜視図である。
【図３】挿入部の先端から処置具先端部が突出した状態を示す説明図である。
【図４】挿入部の先端の正面図である。
【図５】内視鏡用キャップを挿入部の先端に取り付ける前の状態を説明する正面図である。
【図６】内視鏡用キャップを取り外した挿入部の先端の斜視図である。
【図７】内視鏡用キャップおよびレバー室蓋を取り外した挿入部の先端の斜視図である。
【図８】内視鏡用キャップを内視鏡への取付側からみた斜視図である。
【図９】内視鏡用キャップをカバーの底側からみた斜視図である。
【図１０】図４のＸ−Ｘ線による挿入部の断面図である。
【図１１】図４のＸＩ−ＸＩ線による挿入部の断面図である。
【図１２】起上台を起上した挿入部の断面図である。
【図１３】内視鏡用治具を内視鏡への取付側からみた斜視図である。
【図１４】内視鏡用治具を底側からみた斜視図である。
【図１５】内視鏡用治具の側面図である。
【図１６】内視鏡用治具を内視鏡への取付側からみた図である。
【図１７】図１６のＸＶＩＩ−ＸＶＩＩ線による内視鏡用治具の断面図である。
【図１８】内視鏡用治具を内視鏡に取り付けた状態の側面図である。
【図１９】内視鏡用治具を内視鏡に取り付けた状態の正面図である。
【図２０】図１８のＸＸ−ＸＸ線による断面図である。
【図２１】図１９のＸＸＩ−ＸＸＩ線による断面図である。
【図２２】実施の形態２の内視鏡用治具の斜視図である。
【図２３】実施の形態２の内視鏡用治具を内視鏡に取り付けた状態の断面図である。
【図２４】実施の形態３の内視鏡用治具を底側からみた斜視図である。
【発明を実施するための形態】
【０００９】
［実施の形態１］
図１は、内視鏡検査の流れを説明する説明図である。図１の左側に示す本実施の形態の内視鏡１０は、上部消化管向けの軟性鏡である。内視鏡１０は、操作部２０および挿入部３０を有する。操作部２０は、起上操作レバー２１、チャンネル入口２２および湾曲ノブ２３を有する。操作部２０は、図示しないビデオプロセッサ、光源装置および表示装置等に接続されている。
【００１０】
挿入部３０は長尺であり、一端が操作部２０に接続されている。挿入部３０は、操作部２０側から順に軟性部１２、湾曲部１３および内視鏡用キャップ５０を有する。軟性部１２は、軟性である。湾曲部１３は、湾曲ノブ２３の操作に応じて湾曲する。
【００１１】
以後の説明では、挿入部３０の長手方向を挿入方向と記載する。同様に、挿入方向に沿って操作部２０に近い側を操作部側、操作部２０から遠い側を先端側と記載する。
【００１２】
内視鏡検査を行なう前に、図１の右上の「１．内視鏡用キャップ取付」に示すように内視鏡用キャップ５０を挿入部３０の先端に取り付ける。挿入部３０の先端には、湾曲部１３に連続する硬性の先端部３１が設けられている。先端部３１の構成の詳細については後述する。
【００１３】
内視鏡用キャップ５０は、外装部材であるカバー５２および起上台８０（図２参照）を有する。内視鏡用キャップ５０の構成の詳細については後述する。取り付けられた内視鏡用キャップ５０は、先端部３１を覆う。
【００１４】
図１の左側の「２．内視鏡検査」に示すように、内視鏡用キャップ５０が取り付けられた内視鏡１０を用いて、内視鏡検査が実施される。内視鏡検査の終了後、図１の中央下部の「３．内視鏡用治具取付」に示すように、略有底筒型の内視鏡用治具１０１を先端側から内視鏡用キャップ５０に取り付ける。内視鏡用治具１０１の構成の詳細については後述する。
【００１５】
その後、図１右下の「４．内視鏡用キャップ取り外し」に示すように、内視鏡用治具１０１を挿入部３０から取り外す。内視鏡用治具１０１と共に内視鏡用キャップ５０も挿入部３０から外れ、先端部３１が露出した状態になる。
【００１６】
内視鏡用キャップ５０の外径に比べて、内視鏡用治具１０１は太いため、ユーザは挿入部３０から内視鏡用キャップ５０を外す作業を容易に行なえる。内視鏡用治具１０１は、内視鏡用キャップ５０と共に廃棄される。内視鏡１０に対しては、次回の使用に備えて洗浄等の作業が行なわれる。
【００１７】
図２は、挿入部３０の先端の斜視図である。図３は、挿入部３０の先端から処置具先端部４１が突出した状態を示す説明図である。図１から図３を使用して、本実施の形態の内視鏡１０の構成を説明する。
【００１８】
湾曲部１３の先端に配置された先端部３１は、一方の側に挿入方向に沿って並んだ観察窓３６および照明窓３７を有する。照明窓３７は、観察窓３６よりも先端側に配置されている。先端部３１は、他方の側の操作部側に、チャンネル出口３５を有する。チャンネル出口３５の先端側に、起上部８３が配置されている。先端部３１を覆うカバー５２は、観察窓３６、照明窓３７および起上部８３に対応する部分に略長方形の窓部５３を有する。窓部５３の操作部側の辺は、起上部８３側が操作部側に、観察窓３６側が先端側にそれぞれ位置する一段の階段状であり、中央部分にストッパ部５３１を有する。
【００１９】
照明窓３７は、図示しない光源装置から出射した照明光を照射する。観察窓３６を通して、照明光により照らされた範囲を光学観察することが可能である。本実施の形態の内視鏡１０は、光学観察が可能な視野方向が挿入方向に対して交差する方向である、いわゆる側視型である。内視鏡１０は、視野方向が若干先端側に傾いた前方斜視型、または視野方向が若干操作部側に傾いた後方斜視型であっても良い。
【００２０】
チャンネル入口２２とチャンネル出口３５との間は、軟性部１２および湾曲部１３の内部を通るチャンネル３４により接続されている。チャンネル入口２２に、処置具４０を処置具先端部４１側から挿入することにより、チャンネル出口３５から処置具先端部４１を突出させることができる。
【００２１】
図３に実線で示すように、処置具先端部４１は起上部８３の上で緩く曲がりながら突出する。ユーザが図１の「２．内視鏡検査」に矢印で示すように起上操作レバー２１を操作することにより、後述するようにレバー６０（図７参照）が動き、レバー６０に連動して起上台８０が動く。起上台８０が動くことにより、図１中および図３中に矢印および二点鎖線で示すように、起上台８０の上の処置具先端部４１が操作部２０側に屈曲する。処置具先端部４１の動きは、観察窓３６を介して図示しない撮像素子等により撮影され、図示しない表示装置に表示される。
【００２２】
処置具４０は、たとえば高周波ナイフ、鉗子または造影チューブ等の処置用の機器である。なお、チャンネル３４に挿入する機器は処置用の機器に限定されない。たとえば、超音波プローブ、極細内視鏡等の観察用の機器をチャンネル３４に挿入して使用する場合もある。以後の説明では、観察用の機器も含めて処置具４０と記載する。
【００２３】
以上に説明したように起上台８０が動くことを、以下の説明では「起上台８０が起上する」と表現する場合がある。起上した起上台８０に押されて処置具先端部４１が屈曲することを、以下の説明では「処置具４０が起上する」と表現する場合がある。ユーザは、起上操作レバー２１の操作により、処置具４０の起上の程度を調整できる。
【００２４】
図４は、挿入部３０の先端の正面図である。カバー５２は、開口端部５６の近傍に長方形の凹部４８を有する。凹部４８の各辺は、カバー５２の表面から略垂直に立ち下がっている。凹部４８は、カバー５２の周方向の他の部分に比べて薄肉であり、指で押さえる等により外力を加えると撓み易い部分である。凹部４８は、本実施の形態の可撓部の一例である。
【００２５】
図５は、内視鏡用キャップ５０を挿入部３０の先端に取り付ける前の状態を説明する正面図である。内視鏡１０のユーザは、一方の手で湾曲部１３を保持し、他方の手の二本の指でカバー５２を摘む。ユーザは、内視鏡用キャップ５０と先端部３１との向きを合わせた状態で、内視鏡用キャップ５０を押し込むことにより、挿入部３０に内視鏡用キャップ５０を取り付ける。
【００２６】
図６は、内視鏡用キャップ５０を取り付ける前の挿入部３０の先端の斜視図である。図５から図７を使用して、挿入部３０の先端の構成を説明する。先端部３１は、略円柱形状であり、中心からずれた位置に先端側から操作部側に向けて設けられた溝により、光学収容部３３とレバー室６９とに分かれている。チャンネル出口３５は、溝の底に開口している。
【００２７】
先端部３１は、周面の一部を平坦に切り欠いて形成される第１平面部３２１を有する。第１平面部３２１の、光学収容部３３とレバー室６９とを隔てる溝の底に沿った部分に、第３係合部２９が設けてある。第３係合部２９は、長円形の窪みである。先端部３１は、第３係合部２９の裏側に第４係合部２８（図１０参照）を有する。第４係合部２８は、長方形の窪みである。
【００２８】
第１平面部３２１の光学収容部３３側には、観察窓３６および照明窓３７が配置されている。観察窓３６の操作部側には、観察窓３６に水および空気を噴射して清掃するノズル３８が設けられている。光学収容部３３の外側には、先端部３１の周面の一部を平坦に切り欠いて形成される第２平面部３２２および第３平面部３２３が設けられている。第２平面部３２２と第３平面部３２３とは、角度をもって連続している。
【００２９】
レバー室６９は中空であり、先端部３１の外周面に沿った長方形の薄板状のレバー室蓋６７で覆われている。レバー室蓋６７は、蓋ねじ６６により四隅で固定されている。レバー室６９は、光学収容部３３側に支持壁６８を有する。支持壁６８から光学収容部３３に向けて起上台連結部６１が突出する。起上台連結部６１は、長方形断面の軸である。
【００３０】
図７は、内視鏡用キャップ５０およびレバー室蓋６７を取り外した挿入部３０の先端の斜視図である。レバー室６９の内部に、レバー６０が設けられている。レバー６０は、一端にワイヤ固定部６５を有し、回動連結部６４を介して他端に起上台連結部６１を有する。レバー６０は、回動連結部６４と起上台連結部６１との間で、支持壁６８に設けた孔に回動可能に支持されている。なお、回動は、所定の角度の範囲内での回転運動を意味する。
【００３１】
ワイヤ固定部６５は、起上ワイヤ２４の端部に連結されている。起上ワイヤ２４は、挿入部３０を通って起上操作レバー２１（図１参照）に連結されている。さらに具体的には、起上ワイヤ２４は、起上ワイヤ２４の外径よりも若干太い内径を有する図示しない案内管に挿通されている。図示しない案内管は、挿入部３０を長手方向に貫通する。そのため、起上操作レバー２１の操作に連動して起上ワイヤ２４の先端が進退する。起上ワイヤ２４は、起上操作レバー２１により遠隔操作される。
【００３２】
起上操作レバー２１が動くことにより、起上操作レバー２１に接続された起上ワイヤ２４が操作部側に引っ張られる。起上ワイヤ２４に引っ張られて、レバー６０が回動する。
【００３３】
図８は、内視鏡用キャップ５０を内視鏡１０への取付側からみた斜視図である。図９は、内視鏡用キャップ５０をカバー５２の底側からみた斜視図である。前述したように、内視鏡用キャップ５０は、カバー５２および起上台８０を有する。カバー５２は、一端に開口端部５６を有する有底筒型である。カバー５２の底に、台座固定孔５７が設けられている。
【００３４】
前述したようにカバー５２は、筒部に窓部５３を有する。窓部５３は、カバー５２の周面の一箇所に、略全長にわたって開口している。カバー５２は、窓部５３に対向する内面に、開口端部５６から底に向けて延びる台座溝４５を有する。台座溝４５に固定された台座７０を介して、カバー５２の内部に、起上台８０が取り付けられている。台座７０については後述する。
【００３５】
カバー５２は、窓部５３の開口端部５６側の縁に沿って内側に向けて突出する板状の突出部４９を有する。突出部４９の先端の一部には、第１係合部４６が内向きに突出するように設けられている。
【００３６】
起上台８０は、起上台軸８２、起上部８３、レバー連結部８１およびフランジ８５を有する。起上台軸８２は、板状のフランジ８５の一面から突出する円柱形の軸である。フランジ８５の他面から、起上台軸８２の中心軸と交差する方向に、起上部８３が突出する。起上部８３は、一面に起上台軸８２から遠い側が広くなったスプーン状の窪み部８４を有する。窪み部８４は、窓部５３に対向して配置されている。
【００３７】
起上部８３の基端側に、レバー連結部８１が設けられている。レバー連結部８１は、窪み部８４が設けられた面と略同一の向きに向けて開口するＵ字形の溝である。レバー連結部８１は、起上台軸８２側で板状のフランジ８５に覆われている。
【００３８】
起上台軸８２は、台座７０に設けられた起上台取付孔７６に挿入されている。起上台８０は、起上台軸８２まわりに台座７０およびカバー５２に対して回動可能である。窪み部８４は、窓部５３に対向して配置されている。
【００３９】
台座７０は、長方形板状の土台部９５と、土台部９５の長手方向の中央部から立ち上がる支持足から土台部９５の長手方向に沿って延びる略長方形板状の第１壁７７とを有する。土台部９５は、長手方向の一方の端に厚肉部７４を有し、反対側の端に略半円形に盛り上がる第２係合部７２を有する。厚肉部７４は、第１壁７７と対向する。
【００４０】
第１壁７７の端部に、第１壁７７と略直交する長方形板状の第３壁７９が接続している。第３壁７９には、第１壁７７と反対側の面に、第１固定突起７３を設けてある。第１固定突起７３は、割溝７３１（図１０参照）を有する突起である。第１固定突起７３は、端部に一回り太い抜け止めを有する。第１固定突起７３は、カバー５２の内側から台座固定孔５７を貫通する。台座７０は、内視鏡用キャップ５０の外面に露出する内部部品の一例である。
【００４１】
第１壁７７の根元に、前述の起上台取付孔７６が設けてある。起上台取付孔７６が軸受けの機能を果たすことにより、起上台８０は起上台軸８２周りに回動可能である。
【００４２】
図１０は、図４のＸ−Ｘ線による挿入部３０の断面図である。Ｘ−Ｘ断面は、起上台連結部６１の位置で、挿入部３０を長手方向に切断する断面である。図１１は、図４のＸＩ−ＸＩ線による挿入部３０の断面図である。ＸＩ−ＸＩ断面は、第１係合部４６および第２係合部７２の位置で、挿入部３０を長手方向に対して垂直に切断する断面である。図１０および図１１を使用して、内視鏡用キャップ５０を挿入部３０の先端に固定する構成について説明する。
【００４３】
内視鏡用キャップ５０は、開口端部５６を挿入部３０側に向けている。内視鏡用キャップ５０の内面の第１係合部４６と、先端部３１の第３係合部２９とが係合している。
【００４４】
同様に、内視鏡用キャップ５０の内面の第２係合部７２と先端部３１の第４係合部２８とが係合している。内視鏡用キャップ５０が内面の対向する２箇所で先端部３１と係合していることにより、内視鏡用キャップ５０が先端部３１に固定されている。
【００４５】
Ｕ字溝型のレバー連結部８１に長方形断面の軸である起上台連結部６１が挿入されている。これにより、レバー６０と起上台８０とが係合している。
【００４６】
図１１に示すように、カバー５２の筒部の内面と、第２平面部３２２および第３平面部３２３とが空間を隔てて対向して、第１空洞部９３を形成している。凹部４８は、第１空洞部９３に対応する位置に配置されている。凹部４８の反対側では、カバー５２は筒部の内面をへこませて薄肉にされている。カバー５２の薄肉な部分の内面と、レバー室蓋６７とが空間を隔てて対向して、第２空洞部９４を形成している。第２空洞部９４内に、蓋ねじ６６の頭部が配置されている。
【００４７】
第１空洞部９３および第２空洞部９４が存在するため、図１１の左右方向に内視鏡用キャップ５０を押圧した場合、カバー５２は縦長に変形する。変形に伴い、第１係合部４６および第２係合部７２は、それぞれ外向きに移動する。したがって、第１係合部４６と第３係合部２９との係合、および、第２係合部７２と第４係合部２８との係合が外れる。
【００４８】
図１０に示すように、チューブ状のチャンネル３４は先端部３１に設けられたチャンネル出口３５に接続されている。チャンネル出口３５は、窓部５３に向けてラッパ状に拡がっている。
【００４９】
図１０に示す状態では、起上台８０はカバー５２の内側に収容されている。窪み部８４は、チャンネル出口３５から突出した処置具先端部４１を図２０の上方向にゆるやかに曲げることが可能な位置に配置されている。
【００５０】
図１２は、起上台８０を起上した挿入部３０の断面図である。図１２は、図１０と同一の断面を示す。図６、図７、図１０、図１１を使用して、起上台８０を起上させる構成を説明する。
【００５１】
前述のとおり、ユーザが起上操作レバー２１を操作することにより、レバー６０が回動する。レバー６０の回動に伴い、起上台連結部６１も回動する。起上台連結部６１がレバー連結部８１と連結しているため、起上台８０もレバー６０と一体となって、立ち上がるように回動する。
【００５２】
図１２は、起上台８０が回動した状態を示す。起上台８０に押されて、チャンネル出口３５から突出した処置具先端部４１が起上する。
【００５３】
図１３は、内視鏡用治具１０１を底側からみた斜視図である。図１４は、内視鏡用治具１０１を内視鏡１０への取付側からみた斜視図である。図１５は、内視鏡用治具１０１の側面図である。図１６は、内視鏡用治具１０１を内視鏡１０への取付側からみた図である。図１６において、二点鎖線は内視鏡用キャップ５０の外形線を示す。図１７は、図１６のＸＶＩＩ−ＸＶＩＩ線による内視鏡用治具１０１の断面図である。図１７において、二点鎖線は紙面よりも手前側の外形線を示す。
【００５４】
内視鏡用治具１０１は、筒型部１０２と、底部１０３とを有する有底筒型である。筒型部１０２の外面は、円柱の外面を平行な２平面で対称に切り落とした形状であり、略半円柱面部と平面部とを有する。筒型部１０２の底部１０３近傍に、一方の円弧面部から平面部の端部まで開口する窓部１０４が設けられている。
【００５５】
筒型部１０２は、窓部１０４が設けられた側の内面に略平面である内面部１０８を有する。内面部１０８は、内視鏡用治具１０１の底部１０３から、筒型部１０２の長さの約三分の二までの区間に設けられている。内面部１０８および側面突起１０５が設けられた部分を除き、筒型部１０２は略一様な厚さであり、内面に略半円筒面部と平面部とを有する。
【００５６】
図１６において、二点鎖線は内視鏡用キャップ５０の外形線を示す。図１６における左右方向に配置された、筒型部１０２の内面の平面部は、二点鎖線で示す内視鏡用キャップ５０の外寸よりも小さい間隔を有して対向する対向部１１２を形成する。筒型部１０２の図１６における上下方向の内面同士は、内視鏡用キャップ５０の外寸よりも長い間隔を有して対向する。
【００５７】
図１８は、内視鏡用治具１０１を内視鏡１０に取り付けた状態の側面図である。図１９は、内視鏡用治具１０１を内視鏡１０に取り付けた状態の正面図である。図２０は、図１８のＸＸ−ＸＸ線による断面図である。図２１は、図１９のＸＸＩ−ＸＸＩ線による断面図である。
【００５８】
底部１０３から内視鏡用治具１０１の内部に向けて、四角柱状の先端突起１０６が突出している。先端突起１０６は、図１０を使用して説明した割溝７３１に挿入可能な寸法である。
【００５９】
筒型部１０２の円弧面部と平面部との境界付近に、筒型部１０２の端部に開口する略長方形の切欠部１０７が設けられている。切欠部１０７の、筒型部１０２に隣接しない縁に沿って、内面に向けて突出する側面突起１０５が設けられている。側面突起１０５は、一つの側面が筒型部１０２の内面に接する略三角柱形状である。
【００６０】
内視鏡用治具１０１は、内視鏡検査に使用した後の内視鏡１０の先端側から内視鏡用キャップ５０を覆い、窓部１０４の内側に起上台８０がみえるように嵌め合わせられる。内視鏡用キャップ５０の先端側は、底部１０３の内面に突き当てられている。
【００６１】
筒型部１０２の内面に設けられた対向部１１２により、内視鏡用キャップ５０は図１１の左右に示す押圧方向に押圧されて変形する。その結果、図２１に示すように、内視鏡用キャップ５０の内面の第１係合部４６と、先端部３１の第３係合部２９との係合が解除される。図示を省略するが、図２１の紙面よりも手前側において、内視鏡用キャップ５０の内面の第２係合部７２と、先端部３１の第４係合部２８との係合も解除される。
【００６２】
図２０に示すように、内視鏡用キャップ５０外面の凹部４８と、内視鏡用治具１０１の側面突起１０５とが係合する。ユーザは、凹部４８と側面突起１０５とが係合していることを、切欠部１０７から目視で確認できる。
【００６３】
図２１に示すように、内視鏡用キャップ５０先端の第１固定突起７３に設けられた割溝７３１に、先端突起１０６が挿入される。先端突起１０６が介在することにより、第１固定突起７３の変形が防止される。したがって、第１固定突起７３が台座固定孔５７から抜けない状態になる。すなわち、先端突起１０６により、内視鏡用キャップ５０のカバー５２と台座７０との分離が妨げられる。
【００６４】
以上に説明したように、内視鏡用治具１０１を取り付けることにより、内視鏡用キャップ５０と先端部３１との間の係合が外れるとともに、内視鏡用キャップ５０と内視鏡用治具１０１とが係合する。この状態で内視鏡用治具１０１を内視鏡１０の先端側に向けて引っ張ることにより、内視鏡用治具１０１と共に内視鏡用キャップ５０も挿入部３０から外れる。
【００６５】
図２０および図２１に示すように、カバー５２の端面は内視鏡用治具１０１の内側に位置するため、使用済の内視鏡用キャップ５０は、内視鏡用治具１０１から外れにくく、一体にしたまま廃棄できる。これにより、使用済の内視鏡用キャップ５０を新品と間違えて再使用することを防止できる。
【００６６】
内視鏡１０および内視鏡用治具１０１の使用方法の概要を説明する。内視鏡１０は、内視鏡用キャップ５０を外し、洗浄等を行った状態で保管されている。内視鏡用キャップ５０と内視鏡用治具１０１とは、一組ずつ滅菌パックに封入した上で、たとえば１０個単位で紙箱に入れた後に電子線滅菌を行った状態で提供される。
【００６７】
ユーザは、滅菌パックから内視鏡用キャップ５０を取り出す。ユーザはレバー連結部８１と起上台連結部６１の向きが合っていることを確認した上で、内視鏡用キャップ５０を挿入部３０の先端に押し込むことにより、内視鏡用キャップ５０を挿入部３０に取り付ける。ユーザは、内視鏡用キャップ５０を図１１における左右方向に軽く押して変形させた状態で押し込むことにより取り付けても良い。
【００６８】
ユーザは内視鏡用キャップ５０を軽く引っ張る等して、内視鏡用キャップ５０が挿入部３０の先端にしっかりと固定されていることを確認する。
【００６９】
ユーザは、挿入部３０を検査対象者の口から挿入する。観察窓３６を介して撮影した映像を観察しながら、ユーザは挿入部３０の先端を目的部位に誘導する。ユーザは、目的に応じた処置具４０等をチャンネル入口２２から挿入する。処置具先端部４１が挿入部３０の先端から突出し、目的部位の近傍に位置することを確認した後に、ユーザは起上操作レバー２１を操作して、処置具先端部４１を目的部位に誘導する。必要な処置等を行った後に、ユーザは処置具４０をチャンネル３４から抜去する。ユーザは内視鏡１０を検査対象者から抜去して、検査または処置を終了する。
【００７０】
ユーザは、滅菌パックから内視鏡用治具１０１を取り出す。ユーザは、窓部１０４と起上台８０との向きが合っていることを確認した上で、内視鏡用治具１０１を挿入部３０の先端に押し込むことにより、内視鏡用治具１０１を内視鏡用キャップ５０に取り付ける。
【００７１】
内視鏡用治具１０１の底部１０３の外面が平坦であるため、ユーザは底部１０３を挿入部３０に向けて押し込みやすい。したがって、ユーザが着用した手袋が体液等により滑りやすい状態であっても、ユーザは内視鏡用治具１０１を容易に取り付けられる。
【００７２】
ユーザは、内視鏡用治具１０１を内視鏡１０の先端側に向けて引っ張ることにより、内視鏡用治具１０１と共に内視鏡用キャップ５０を挿入部３０から外す。ユーザは、係合したままの内視鏡用治具１０１と内視鏡用キャップ５０とを廃棄する。
【００７３】
ユーザは、内視鏡用キャップ５０を外した後の内視鏡１０に対して、次回の使用に備えて洗浄等の処理を行う。図７に示すように、内視鏡用キャップ５０を外した後の内視鏡１０には起上台８０が付いていない。起上台８０を固定する際に用いる起上台連結部６１は、図６に示すように、先端部３１に露出している。
【００７４】
以上により、本実施の形態の内視鏡１０は、起上台８０および起上ワイヤ２４付近の複雑な構造を洗浄するための特別な洗浄作業等を必要としない。したがって、症例間の処理時間が短く、効率の良い運用が可能な、起上台付きの内視鏡１０を提供できる。
【００７５】
なお、内視鏡用治具１０１の外形は、たとえば円柱形、楕円柱形、四角柱形等の任意の形状であっても良い。筒型部１０２の外面に、滑り止め用の凸凹が設けられていても良い。内視鏡用治具１０１の内面は、楕円筒型または長円筒形等の任意の形状であっても良い。
【００７６】
本実施の形態によると、内視鏡用キャップ５０を内視鏡１０から取り外す作業を容易にする内視鏡用治具１０１を提供できる。
【００７７】
［実施の形態２］
本実施の形態は、カバー５２の端面と係合する端部突起１０９を有する内視鏡用治具１０１に関する。実施の形態１と共通する部分については、説明を省略する。
【００７８】
図２２は、実施の形態２の内視鏡用治具１０１の斜視図である。本実施の形態の内視鏡用治具１０１は、切欠部１０７と側面突起１０５との代わりに、筒型部１０２の長径側の２箇所の端面から突出する端部突起１０９を有する。端部突起１０９は、筒型部１０２の長手方向に突出し、内向きの抜け止めを有する。底部１０３から抜け止めの底部１０３側の端面までの長さが、実施の形態１の内視鏡用治具１０１の長さと略同一である。
【００７９】
図２３は、実施の形態２の内視鏡用治具１０１を内視鏡１０に取り付けた状態の断面図である。図２３は、図２１と同じ断面を示す。端部突起１０９に設けられた抜け止めが、カバー５２の端面に当接し、内視鏡用キャップ５０が内視鏡用治具１０１から抜けることを防止している。
【００８０】
ユーザが、内視鏡用治具１０１を内視鏡１０の先端側に向けて引っ張ることにより、内視鏡用治具１０１と共に内視鏡用キャップ５０を挿入部３０から外す。ユーザは、係合したままの内視鏡用治具１０１と内視鏡用キャップ５０とを廃棄する。
【００８１】
本実施の形態によると、カバー５２との係合状態を目視で確認しやすい内視鏡用治具１０１を提供できる。
【００８２】
［実施の形態３］
本実施の形態は、取手部１１１を有する内視鏡用治具１０１に関する。実施の形態１と共通する部分については、説明を省略する。
【００８３】
図２４は、実施の形態３の内視鏡用治具１０１を底側からみた斜視図である。筒型部１０２の両方の平面部から、柱状の取手部１１１が突出している。
【００８４】
本実施の形態によると、取手部１１１に指を掛けて内視鏡用治具１０１を内視鏡１０の先端側に向けて引っ張ることができる。したがって、ユーザが着用した手袋が体液等により滑りやすい状態であっても、ユーザは内視鏡用治具１０１および内視鏡用キャップ５０を容易に取り外せる。
【００８５】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【符号の説明】
【００８６】
１０    内視鏡
１２    軟性部
１３    湾曲部
２０    操作部
２１    起上操作レバー
２２    チャンネル入口
２３    湾曲ノブ
２４    起上ワイヤ
２８    第４係合部
２９    第３係合部
３０    挿入部
３１    先端部
３２１  第１平面部
３２２  第２平面部
３２３  第３平面部
３４    チャンネル
３５    チャンネル出口
３６    観察窓
３７    照明窓
３８    ノズル
４０    処置具
４１    処置具先端部
４５    台座溝
４６    第１係合部
４８    凹部
４９    突出部
５０    内視鏡用キャップ
５２    カバー
５３    窓部
５３１  ストッパ部
５６    開口端部
５７    台座固定孔
６０    レバー
６１    起上台連結部
６４    回動連結部
６５    ワイヤ固定部
６６    蓋ねじ
６７    レバー室蓋
６８    支持壁
６９    レバー室
７０    台座
７２    第２係合部
７３    第１固定突起
７３１  割溝
７４    厚肉部
７６    起上台取付孔
７７    第１壁
７９    第３壁
８０    起上台
８１    レバー連結部
８２    起上台軸
８３    起上部
８４    窪み部
８５    フランジ
９３    第１空洞部
９４    第２空洞部
９５    土台部
１０１  内視鏡用治具
１０２  筒型部
１０３  底部
１０４  窓部
１０５  側面突起
１０６  先端突起
１０７  切欠部
１０８  内面部
１０９  端部突起
１１１  取手部
１１２  対向部
【図１】
2020110265.tif 000003
【図２】
2020110265.tif 000004
【図３】
2020110265.tif 000005
【図４】
2020110265.tif 000006
【図５】
2020110265.tif 000007
【図６】
2020110265.tif 000008
【図７】
2020110265.tif 000009
【図８】
2020110265.tif 000010
【図９】
2020110265.tif 000011
【図１０】
2020110265.tif 000012
【図１１】
2020110265.tif 000013
【図１２】
2020110265.tif 000014
【図１３】
2020110265.tif 000015
【図１４】
2020110265.tif 000016
【図１５】
2020110265.tif 000017
【図１６】
2020110265.tif 000018
【図１７】
2020110265.tif 000019
【図１８】
2020110265.tif 000020
【図１９】
2020110265.tif 000021
【図２０】
2020110265.tif 000022
【図２１】
2020110265.tif 000023
【図２２】
2020110265.tif 000024
【図２３】
2020110265.tif 000025
【図２４】
2020110265.tif 000026